(57)【特許請求の範囲】
【請求項１】
二段スクリュー圧縮機の低圧側圧力を検出する圧力スイッチの検知に基づき、前記二段スクリュー圧縮機の運転が制御される容量制御式の二段スクリュー圧縮機を備えた冷凍装置において、
前記圧力スイッチは、複数の動作ステージとして設定された圧力設定値において、カットイン（ＯＮ）及びカットアウト（ＯＦＦ）動作する第１スイッチと第２スイッチを備え、
前記第１スイッチのカットイン（ＯＮ）値と前記第２スイッチのカットイン（ＯＮ）値が異なる設定値を有し、且つ前記第１スイッチのカットアウト（ＯＦＦ）値と前記第２スイッチのカットアウト（ＯＦＦ）値が異なる設定値を有する複数の第１制御値と、
前記第１スイッチのカットイン（ＯＮ）値と前記第２スイッチのカットイン（ＯＮ）値が同じ設定値を有し、且つ前記第１スイッチのカットアウト（ＯＦＦ）値と前記第２スイッチのカットアウト（ＯＦＦ）値が同じ設定値を有する複数の第２制御値が、予め制御部６０ＡのメモリＭＲに設定されており、
前記第１制御値と前記第２制御値のうちのいずれかを選択する選択手段を備え、
前記制御部は、前記選択手段によって前記第１制御値の一つが選択された状態では前記選択された第１制御値によって前記圧力スイッチが動作することにより前記二段スクリュー圧縮機を容量制御モードで運転し、前記選択手段によって前記第２制御値の一つが選択された状態では前記選択された第２制御値によって前記圧力スイッチが動作することにより前記二段スクリュー圧縮機を容量制御されない単純なＯＮ−ＯＦＦ運転制御モードで運転することを特徴とする冷凍装置。
【請求項２】
前記制御部は、前記選択手段、前記第１スイッチ、前記第２スイッチのそれぞれの動作に基づき動作するマイクロコンピュータ、及び前記第１スイッチ及び前記第２スイッチのそれぞれのカットイン（ＯＮ）値及びカットアウト（ＯＦＦ）値が記憶された前記メモリを含み、前記圧力スイッチの検知に基づき前記二段スクリュー圧縮機を前記容量制御モードまたは前記単純なＯＮ−ＯＦＦ運転制御モードで運転制御し、
前記カットイン（ＯＮ）値及び前記カットアウト（ＯＦＦ）値は、前記冷凍装置の出荷時に前記メモリに予め設定された標準圧力設定値であることを特徴とする請求項１に記載の冷凍装置。
【発明の詳細な説明】
【技術分野】
【０００１】
本発明は、魚等を冷凍する冷凍保冷庫や、冷凍食品を貯蔵陳列するスーパーショーケース等に使用される容量制御式の二段スクリュー圧縮機を備えた冷凍装置に関する。
【背景技術】
【０００２】
コンデンシングユニット等に使用される容量制御式の二段スクリュー圧縮機を備えた冷凍装置として、圧縮機の低圧側圧力をデジタル圧力スイッチで検知して、圧縮機の運転を１００％能力で運転するフルロードと、それよりも低い例えば５０％能力で運転するアンロードと、停止状態とに制御する容量制御方式は、公知である（例えば、特許文献１）。
【先行技術文献】
【特許文献】
【０００３】
【特許文献１】特開２０００−１３０８７１号公報
【発明の概要】
【発明が解決しようとする課題】
【０００４】
魚等を冷凍する冷凍保冷庫や、冷凍食品を貯蔵陳列するスーパーショーケース等に使用される容量制御式の二段スクリュー圧縮機を備えた冷凍装置は、冷凍保冷庫やスーパーショーケース等の冷凍機器の使用状況に応じて、上記のように容量制御する場合の運転切り替え条件が運転管理者によって設定される。しかし、このような運転切り替え条件は、その設定値によって冷凍保冷庫やスーパーショーケース等の冷凍機器の庫内温度の制御状態が変わるため、運転制御条件の設定は重要となり、その条件の見定めが重要となる。このため、運転管理者としては、簡単な制御によって庫内温度制御を行うことを希望する場合がある。
【０００５】
本発明は、このような要望に応えるために、二段スクリュー圧縮機を備えた冷凍装置の運転を、容量制御モードとするか、単純なＯＮ−ＯＦＦ制御モードとするかが、選択可能な技術を提供するものである。
【０００６】
本発明では、特に、このように容量制御モードとするか、単純なＯＮ−ＯＦＦ制御モードとする選択が、容易に選択可能となる技術を提供するものである。
【課題を解決するための手段】
【０００７】
第１発明は、二段スクリュー圧縮機の低圧側圧力を検出する圧力スイッチの検知に基づき、前記二段スクリュー圧縮機の運転が制御される容量制御式の二段スクリュー圧縮機を備えた冷凍装置において、
前記圧力スイッチは、複数の動作ステージとして設定された圧力設定値において、カットイン（ＯＮ）及びカットアウト（ＯＦＦ）動作する第１スイッチと第２スイッチを備え、
前記第１スイッチのカットイン（ＯＮ）値と前記第２スイッチのカットイン（ＯＮ）値が異なる設定値を有し、且つ前記第１スイッチのカットアウト（ＯＦＦ）値と前記第２スイッチのカットアウト（ＯＦＦ）値が異なる設定値を有する複数の第１制御値と、
前記第１スイッチのカットイン（ＯＮ）値と前記第２スイッチのカットイン（ＯＮ）値が同じ設定値を有し、且つ前記第１スイッチのカットアウト（ＯＦＦ）値と前記第２スイッチのカットアウト（ＯＦＦ）値が同じ設定値を有する複数の第２制御値が、予め制御部のメモリに設定されており、
前記第１制御値と前記第２制御値のうちのいずれかを選択する選択手段を備え、
前記制御部は、前記選択手段によって前記第１制御値の一つが選択された状態では前記選択された第１制御値によって前記圧力スイッチが動作することにより前記二段スクリュー圧縮機を容量制御モードで運転し、前記選択手段によって前記第２制御値の一つが選択された状態では前記選択された第２制御値によって前記圧力スイッチが動作することにより前記二段スクリュー圧縮機を容量制御されない単純なＯＮ−ＯＦＦ運転制御モードで運転することを特徴とする。
【００１０】
第２発明は、第１発明において、前記制御部は、前記選択手段、前記第１スイッチ、前記第２スイッチのそれぞれの動作に基づき動作するマイクロコンピュータ、及び前記第１スイッチ及び前記第２スイッチのそれぞれのカットイン（ＯＮ）値及びカットアウト（ＯＦＦ）値が記憶された前記メモリを含み、前記圧力スイッチの検知に基づき前記二段スクリュー圧縮機を前記容量制御モードまたは前記単純なＯＮ−ＯＦＦ運転制御モードで運転制御し、
前記カットイン（ＯＮ）値及び前記カットアウト（ＯＦＦ）値は、前記冷凍装置の出荷時に前記メモリに予め設定された標準圧力設定値であることを特徴とする。
【発明の効果】
【００１１】
第１発明では、選択手段によって、第１制御値の選択により二段スクリュー圧縮機は容量制御モードで運転され、第２制御値の選択により二段スクリュー圧縮機は容量制御されない単純なＯＮ−ＯＦＦ運転制御モードで運転されるため、運転管理者は、この選択手段によって、いずれのモードで運転するかの選択が容易となる。
そして第１制御値と第２制御値は、制御テーブルに複数設定されているため、選択手段によって、第１制御値のいずれかの選択により、二段スクリュー圧縮機は冷凍機の使用条件に合った適切な容量制御モードで運転される。また、第２制御値のいずれかの選択により、二段スクリュー圧縮機は単純なＯＮ−ＯＦＦ運転制御が、選択されたＯＮ−ＯＦＦ値により制御されるため、冷凍機の使用条件に合った適切なＯＮ−ＯＦＦ運転制御となる。
また、第１制御値または第２制御値は、予めメモリに設定した値であるため、この選択手段によって、そのいずれかを選択するだけで、容量制御モードか、単純なＯＮ−ＯＦＦ運転制御モードかで運転されることとなり、操作も簡単になる。このように容量制御モードとするか、単純なＯＮ−ＯＦＦ制御モードとする選択が、選択手段によって選択されるため、いちいち第１制御値及び第２制御値を設定する場合に比して、選択手段による選択操作（これをワンタッチ操作という）にて達成できるものとなる。
更に、第１スイッチＳ１Ａの設定値と第２スイッチＳ１Ｂの設定値とが異なる設定であることにより、第１制御値が選択されたときは、庫内温度が冷却されることに伴う第１スイッチＳ１Ａ及び第２スイッチＳ１Ｂのカットイン（ＯＮ）及びカットアウト（ＯＦＦ）動作によって、所定の容量制御モードで運転される。また、第２制御値が選択されたときは、第１スイッチＳ１Ａの設定値と第２スイッチＳ１Ｂの設定値とが同一設定であるため、二段スクリュー圧縮機は、この同一の設定値によって、単純にカットイン（ＯＮ）及びカットアウト（ＯＦＦ）動作によるＯＮ−ＯＦＦ動作となる。このため、選択手段による第１制御値及び第２制御値の選択によって、そのいずれのモードで運転させるかが容易に選択できるものとなる。
【００１４】
第２発明では、第１制御値及び第２制御値は、冷凍装置の出荷時にメモリに予め設定された標準圧力設定値であるため、冷凍装置を使用する際にいちいち設定しなくても、選択手段による第１制御値及び第２制御値の選択によって、いずれが選択されても、選択した値が標準圧力設定値であるため、この標準圧力設定値でもって圧力スイッチがカットイン（ＯＮ）及びカットアウト（ＯＦＦ）動作して、容量制御モードでの運転または単純なＯＮ−ＯＦＦ運転制御モードでの運転が行なえるものとなる。
【図面の簡単な説明】
【００１５】
【図１】本発明に係る冷凍装置の冷媒とオイルの回路を示す図である。
【図２】図１の冷凍装置の制御装置に係る概略図である。
【図３】本発明に係る冷凍装置の圧力スイッチがカットイン（ＯＮ）及びカットアウト（ＯＦＦ）動作する標準圧力設定値のテーブル図である。
【図４】本発明に係る冷凍装置の二段スクリュー圧縮機が容量制御モードで運転される場合の圧力スイッチによるカットイン（ＯＮ）及びカットアウト（ＯＦＦ）動作状態を示す図である。
【図５】本発明に係る冷凍装置の二段スクリュー圧縮機が単純なＯＮ−ＯＦＦ運転制御モードで運転される場合の圧力スイッチによるカットイン（ＯＮ）及びカットアウト（ＯＦＦ）動作状態を示す図である。
【発明を実施するための形態】
【００１６】
本発明は、二段スクリュー圧縮機の低圧側圧力を検出する圧力スイッチの検知に基づき、前記二段スクリュー圧縮機の運転が制御される容量制御式の二段スクリュー圧縮機を備えた冷凍装置において、
前記圧力スイッチがカットイン（ＯＮ）及びカットアウト（ＯＦＦ）動作する設定値として、
前記二段スクリュー圧縮機の容量制御を行うための第１制御値と、前記二段スクリュー圧縮機の運転が容量制御されない単純なＯＮ−ＯＦＦ運転制御を行うための第２制御値が設定されており、
前記第１制御値と第２制御値のいずれかを選択する選択手段を備え、
前記選択手段によって、第１制御値が選択された状態では前記二段スクリュー圧縮機は容量制御モードで運転され、前記第２制御値が選択された状態では前記二段スクリュー圧縮機は容量制御されない単純なＯＮ−ＯＦＦ運転制御モードで運転されることを特徴とするものであり、以下にその実施例を記載する。
【実施例１】
【００１７】
以下、本発明の実施例を説明する。図１は、スクリュー圧縮機の一例としての二段スクリュー圧縮機１０を１台のみを有した冷凍装置ＲＴであり、この圧縮機１０は、低圧部１０ａ、中間圧部１０ｂ、高圧部１０ｃを備えている。この低圧部１ａに吸込管１２を介して吸入される冷媒ガスは該圧縮機１０で圧縮されて高圧部１０ｃから吐出される。圧縮機１０内で圧縮用気密を保つために使用されるオイルの混入した冷媒ガスが吐出され、吐出管１４を経てオイルセパレータ１６に流入し、ここで冷媒ガス中のオイルが除去された後、管１８を経て冷媒ガスが凝縮器２０に流入する。凝縮器２０で凝縮、液化した冷媒は、管２２を経て一旦レシーバタンク２４に流入した後に再度前記凝縮器２０を通過させる。この実施形態例では、前記凝縮器２０は空冷式であり、３個の例えばＤＣモータによる冷却ファンＦ１，Ｆ２，Ｆ３を使用している。ファンの個数は２個でも、また、４個以上でもよい。
【００１８】
以後、この冷媒液は主回路２６に流入する。この主回路２６は、フィルタドライヤ２８、モイスチャインジケータ３０、管３２、過冷却器３４と連なり、管３６、膨張弁３７を経て、冷凍保冷庫やスーパーショーケース等の冷凍機器の冷凍庫内の冷却器、即ちエバボレータ３８に連通し、このエバポレータ３８を出ると前記吸入管１２に連なる。
【００１９】
一方、前記オイルセパレータ１６で分離されたオイルは、管４２を介してオイルクーラ４０に流入し、ここで冷却された後、オイルフィルタ４４、管４６を通って圧縮機１０に戻される。
【００２０】
また、管４６には、管４８を介してアンロード用電磁弁（三方電磁弁）５０が接続されており、この管４８は、アンロード用電磁弁５０を介して管５２と接続されており、該管５２の他端は圧縮機１０の中間圧部１０ｂに接続されている。更に、この管５２と前記管４８とは、アンロード用電磁弁５０を介して管５４と接続されており、該管５４の他端は圧縮機１０の低圧部１０ａに接続されている。
【００２１】
このアンロード用電磁弁５０に通電（又は非通電）して、管５２と管５４を連通させた状態では、図示を省略したアンロード機構の作動ピストン弁に加わる圧力が低圧となって該作動ピストン弁がばねに付勢されて所定の位置から移動し、これによって圧縮された冷媒ガスの一部が吸入側に戻るようになる。このことによって二段スクリュー圧縮機１０は、容量（能力）が、例えば５０％に低下したアンロード運転となる。また、逆にアンロード用電磁弁５０が非通電（又は通電）となって、オイルが管５４へ流入する弁が閉じられて管４８と管５２のみを連通させた状態では、アンロード機構の作動ピストン弁に加わる圧力は、管４６を流れるオイル圧に近くて高圧であり、前記作動ピストン弁をばね付勢に抗して押圧して所定位置に保持し、これによって二段スクリュー圧縮機１０は、容量１００％のフルロード運転となる。
【００２２】
図２には、マイクロコンピュータＭＣ、メモリＭＲ等を含む制御部６０Ａとそれに係る入力及び出力に係る各部を備えた制御装置６０を示している。圧縮機１０の低圧部１０ａには低圧側圧力スイッチＳ１を設けており、この圧力スイッチＳ１の出力は、制御部６０Ａに入力される。また高圧部１０ｃには高圧側圧力スイッチＳ３を設けており、この出力も制御部６０Ａに入力され、所定高圧の検知によって、冷凍装置ＲＴの運転を停止する制御が行われる。
【００２３】
圧力スイッチＳ１がカットイン（ＯＮ）及びカットアウト（ＯＦＦ）動作する圧力設定値のテーブルが、メモリＭＲに設定されている。この圧力設定値は、運転管理者が任意に設定可能であるが、標準的な運転制御ができる標準圧力設定値として、図３に示す標準圧力設定値のテーブルが、冷凍装置ＲＴの出荷時に設定されている。図３に示す標準圧力設定値は、冷凍装置ＲＴが冷凍庫に適用された場合を示している。  
【００２４】
本発明の冷凍装置ＲＴは、二段スクリュー圧縮機１０の低圧側圧力を検出する圧力スイッチＳ１の検知に基づき、二段スクリュー圧縮機１０の運転が制御される容量制御式の二段スクリュー圧縮機１０を備えたものであり、二段スクリュー圧縮機１０の運転が、容量制御モードで運転される制御と、容量制御されない単純なＯＮ−ＯＦＦ運転される制御のいずれかが選択できるものである。
【００２５】
圧力スイッチＳ１がカットイン（ＯＮ）及びカットアウト（ＯＦＦ）動作する設定値が、予めメモリＭＲの制御テーブルに記憶されている。実施例におけるこのカットイン（ＯＮ）及びカットアウト（ＯＦＦ）の設定値は、図３に示すように、Ｋ１〜Ｋ７の７個の動作ステージとして設定されている。この７個の動作ステージの内容は、３個の第１制御値としてＫ１、Ｋ２、Ｋ５があり、４個の第２制御値としてＫ３、Ｋ４、Ｋ６、Ｋ７がある。
【００２６】
圧力スイッチＳ１は、図３に示すように、Ｋ１〜Ｋ７の７個の動作ステージに示す圧力設定値において、カットイン（ＯＮ）及びカットアウト（ＯＦＦ）動作する第１スイッチＳ１Ａと第２スイッチＳ１Ｂを備えている。
【００２７】
図３に示す標準圧力設定値のテーブルは、二段スクリュー圧縮機１０の容量制御を行うための複数の第１制御値として、Ｋ１、Ｋ２、Ｋ５が設定されており、二段スクリュー圧縮機１０が容量制御されない単純なＯＮ−ＯＦＦ運転の制御を行うための複数の第２制御値として、Ｋ３、Ｋ４、Ｋ６、Ｋ７が設定されている。この標準圧力設定値は、図３に示したものに限定されない。
【００２８】
冷凍装置ＲＴは、第１制御値Ｋ１、Ｋ２、Ｋ５と第２制御値Ｋ３、Ｋ４、Ｋ６、Ｋ７のいずれかを選択する選択手段Ｓ２を備えており、この選択手段Ｓ２によって、第１制御値Ｋ１、Ｋ２、Ｋ５のいずれかが選択された状態では、二段スクリュー圧縮機１０は容量制御モードで運転される。また、第２制御値Ｋ３、Ｋ４、Ｋ６、Ｋ７のいずれかが選択された状態では、二段スクリュー圧縮機１０は容量制御されない単純なＯＮ−ＯＦＦ運転制御モードで運転される。
【００２９】
この具体的な制御について説明する。例えば、選択手段Ｓ２によって第１制御値Ｋ２を選択する場合は、選択手段Ｓ２の選択スタートスイッチＳＴをＯＮして、マイクロコンピュータＭＣの動作によって、メモリＭＲの標準圧力設定値のテーブルが選択された後、アップスイッチＳＵとダウンスイッチＳＤのいずれかまたは双方の操作によって、第１制御値Ｋ２を選択する。
【００３０】
具体的には、選択スタートスイッチＳＴをＯＮしたとき、マイクロコンピュータＭＣの動作によって、液晶などの文字や図形を表示する表示器ＬＣＤには、図３に示したテーブル図に標準圧力設定値Ｋ１〜Ｋ７のうちの一つがマーク表示され、またはそのときの標準圧力設定値Ｋ１〜Ｋ７のうちの一つが表示される。この表示を確認し、例えば、Ｋ１が表示されておれば、アップスイッチＳＵを１回ＯＮすることにより、マイクロコンピュータＭＣの動作によってＫ２が選択され、選択した第１制御値Ｋ２の内容、即ち、図３に示す第１制御値Ｋ２の欄に表示した庫内温度、用途、蒸発温度、第１スイッチＳ１ＡのＯＮ／ＯＦＦ／停止時間、第２スイッチＳ１ＢのＯＮ１／ＯＦＦ１／停止時間１、及び容量制御の有／なし、を表示する文字と数値が、表示器ＬＣＤに表示される。これを確認してＯＫならば、確認を兼用したスタートスイッチＳ４をＯＮすることにより、冷凍装置ＲＴが始動し、二段スクリュー圧縮機１０及び冷却ファンＦ１、Ｆ２、Ｆ３が始動する。そして、第１制御値Ｋ２によって、圧力スイッチＳ１がカットイン（ＯＮ）及びカットアウト（ＯＦＦ）動作を行って、アンロード用電磁弁５０に通電（又は非通電）して、二段スクリュー圧縮機１０は所定の容量制御モードで運転される。
【００３１】
また、選択手段Ｓ２によって第２制御値Ｋ６を選択する場合は、選択スタートスイッチＳＴをＯＮしたとき、上記同様に、マイクロコンピュータＭＣの動作によって、表示器ＬＣＤにＫ１が表示されておれば、アップスイッチＳＵを５回ＯＮすることにより、またはダウンスイッチＳＤを２回ＯＮすることにより、マイクロコンピュータＭＣの動作によってＫ６が選択され、選択された第２制御値Ｋ６の内容、即ち、図３に示す第２制御値Ｋ６の欄の庫内温度、用途、蒸発温度、第１スイッチＳ１ＡのＯＮ／ＯＦＦ／停止時間、第２スイッチＳ１ＢのＯＮ１／ＯＦＦ１／停止時間１、及び容量制御の有／なし、を表示する文字と数値が、表示器ＬＣＤに表示される。これを確認してＯＫならば、確認を兼用したスタートスイッチＳ４をＯＮすることにより、冷凍装置ＲＴが始動し、二段スクリュー圧縮機１０及び冷却ファンＦ１、Ｆ２、Ｆ３が始動する。そして、第２制御値Ｋ６によって、圧力スイッチＳ１がカットイン（ＯＮ）及びカットアウト（ＯＦＦ）動作を行って、二段スクリュー圧縮機１０は、容量制御されない単純なＯＮ−ＯＦＦ運転制御モードで運転される。
【００３２】
この具体的な動作を図３〜図５の参照して説明する。上記のように、第１制御値Ｋ２が選択された状態において、スタートスイッチＳ４をＯＮした場合、二段スクリュー圧縮機１０及び冷却ファンＦ１、Ｆ２、Ｆ３が直ちに起動せず、例えば１０分のように所定時間、その起動が禁止される。これは、その前まで二段スクリュー圧縮機１０が運転状態にあった場合には、高温になっているため、直ちに起動すればスクリューの噛み合い部分が破損等の危険が生じるため、これを避けるためである。
【００３３】
そして、この所定時間１０分経過したとき、冷凍庫の庫内温度が高く、エバボレータ３８の冷媒温度上昇が大きいことにより、二段スクリュー圧縮機１０の吸入側である低圧部１０ａの圧力（低圧側圧力）が上昇して、圧力スイッチＳ１の第１スイッチＳ１Ａのカットイン（ＯＮ）値の０．０７０ＭＰａ以上であれば、第１スイッチＳ１Ａが閉じて、マイクロコンピュータＭＣの動作によって、二段スクリュー圧縮機１０が起動すると共に、アンロード用電磁弁５０に通電（又は非通電）して、５０％のアンロード運転となる。冷却ファンＦ１、Ｆ２、Ｆ３も起動する。
【００３４】
この起動から３０秒経過したとき、マイクロコンピュータＭＣの動作によって、アンロード用電磁弁５０が非通電（又は通電）となり、二段スクリュー圧縮機１０が１００％フルロード運転となる。
【００３５】
更に二段スクリュー圧縮機１０が１００％フルロード運転を継続することにより、冷凍庫の庫内温度が更に低下し、低圧部１０ａの圧力（低圧側圧力）が更に降下して、第１スイッチＳ１Ａのカットアウト（ＯＦＦ）値の０．０２０ＭＰａ以下に低下したとき、第１スイッチＳ１Ａが開く。これによって、第２スイッチＳ１Ｂが閉じているため、マイクロコンピュータＭＣの動作によって、アンロード用電磁弁５０に通電（又は非通電）して、二段スクリュー圧縮機１０が５０％のアンロード運転に切り替わる。そして、冷凍庫の庫内温度が更に低下し、低圧部１０ａの圧力（低圧側圧力）が更に降下して、第２スイッチＳ１Ｂのカットアウト（ＯＦＦ）値の０．０００ＭＰａ（図４のＯＦＦ１）以下に低下したとき、第２スイッチＳ１Ｂが開き、二段スクリュー圧縮機１０の運転が停止する。
【００３６】
この二段スクリュー圧縮機１０の運転停止によって、冷凍庫の庫内温度が上昇し、低圧部１０ａの圧力（低圧側圧力）が上昇して、第２スイッチＳ１Ｂのカットアウト（ＯＦＦ）を超えてカットイン（ＯＮ）値の０．０５０ＭＰａ（図４のＯＮ１）以上になると、第２スイッチＳ１Ｂが閉じ、マイクロコンピュータＭＣの動作によって、アンロード用電磁弁５０に通電（又は非通電）して、二段スクリュー圧縮機１０が５０％のアンロード運転を開始する。この運転によって、冷凍庫の庫内温度が低下し、低圧部１０ａの圧力（低圧側圧力）が降下して、第２スイッチＳ１Ｂのカットアウト（ＯＦＦ）値の０．０００ＭＰａ（図４のＯＦＦ１）以下に低下したとき、上記同様に、第２スイッチＳ１Ｂが開き、二段スクリュー圧縮機１０の運転が停止する。
【００３７】
このように、第１制御値Ｋ２が選択された状態で、二段スクリュー圧縮機１０の運転が容量制御モードとなり、図３に示すように、エバボレータ３８の蒸発温度が、−４５℃〜−４０℃の範囲で制御され、冷凍庫の庫内温度が−３０℃〜−２２℃の範囲で制御される。なお、第１制御値Ｋ１またはＫ５が選択されたときも、上記同様である。
【００３８】
次に、上記のように、第２制御値Ｋ６が選択された状態について説明する。第２制御値Ｋ６が選択されたことは、二段スクリュー圧縮機１０は、容量制御されない単純なＯＮ−ＯＦＦ運転制御モードで運転されることを意味する。このように第２制御値Ｋ６においては、第１スイッチＳ１ＡＢのカットアウト（ＯＦＦ）値と、第２スイッチＳ１Ｂのカットアウト（ＯＦＦ）値（図５のＯＦＦ及びＯＦＦ１）が図３に示すように同じ−０．０２５ＭＰａであり、第１スイッチＳ１ＡＢのカットイン（ＯＮ）値と、第２スイッチＳ１Ｂのカットイン（ＯＮ）値（図５のＯＮ及びＯＮ１）が同じ０．０２５ＭＰａである。第２制御値Ｋ３、Ｋ４、Ｋ７についても、図３に示すように同様である。
【００３９】
第２制御値Ｋ６が選択された状態において、スタートスイッチＳ４をＯＮした場合、マイクロコンピュータＭＣの動作によって、二段スクリュー圧縮機１０及び冷却ファンＦ１、Ｆ２、Ｆ３が直ちに起動せず、例えば１０分のように所定時間、その起動が禁止される。これは、その前まで二段スクリュー圧縮機１０が運転状態にあった場合には、高温になっているため、直ちに起動すればスクリューの噛み合い部分が破損等の危険が生じるため、これを避けるためである。
【００４０】
そして、この所定時間１０分経過したとき、冷凍庫の庫内温度が高く、エバボレータ３８の冷媒温度上昇が大きいことにより、二段スクリュー圧縮機１０の吸入側である低圧部１０ａの圧力（低圧側圧力）が上昇して、圧力スイッチＳ１の第１スイッチＳ１Ａ及び第２スイッチＳ１Ｂのカットイン（ＯＮ）値（図５のＯＮ及びＯＮ１）の０．０２５ＭＰａ以上であれば、第１スイッチＳ１Ａ及び第２スイッチＳ１Ｂが閉じて、マイクロコンピュータＭＣの動作によって二段スクリュー圧縮機１０が起動し、１００％のフルロード運転で起動する。冷却ファンＦ１、Ｆ２、Ｆ３も起動する。このように１００％のフルロード運転で起動できる場合は、電源容量が十分大きい状況において可能である。
【００４１】
このフルロード運転によって、冷凍庫の庫内温度が低下し、低圧部１０ａの圧力（低圧側圧力）が降下して、圧力スイッチＳ１の第１スイッチＳ１Ａ及び第２スイッチＳ１Ｂのカットアウト（ＯＦＦ）値（図５のＯＦＦ及びＯＦＦ１）の−０．０２５ＭＰａ以下に低下したとき、第１スイッチＳ１Ａ及び第２スイッチＳ１Ｂが開く。これによって、マイクロコンピュータＭＣの動作によって、二段スクリュー圧縮機１０の運転が停止する。
【００４２】
この二段スクリュー圧縮機１０の運転停止によって、冷凍庫の庫内温度が上昇し、低圧部１０ａの圧力（低圧側圧力）が上昇して、圧力スイッチＳ１の第１スイッチＳ１Ａ及び第２スイッチＳ１Ｂのカットアウト（ＯＦＦ）を超えてカットイン（ＯＮ）値の０．０２５ＭＰａ（図５のＯＮ及びＯＮ１）以上になると、第１スイッチＳ１Ａ及び第２スイッチＳ１Ｂが閉じ、マイクロコンピュータＭＣの動作によって二段スクリュー圧縮機１０が、１００％のフルロード運転で起動する。
【００４３】
このように、第２制御値Ｋ６が選択された状態で、二段スクリュー圧縮機１０の運転が容量制御されない単純なＯＮ−ＯＦＦ運転制御モードとなり、図３に示すように、エバボレータ３８の蒸発温度が、−５０℃〜−４５℃の範囲で制御され、冷凍庫の庫内温度が−４０℃のように制御される。なお、第２制御値Ｋ３、Ｋ４、またはＫ７が選択されたときも、上記同様である。
【００４４】
上記のように、二段スクリュー圧縮機１０の低圧側圧力を検出する圧力スイッチＳ１の検知に基づき、二段スクリュー圧縮機１０の運転が制御される容量制御式の二段スクリュー圧縮機１０を備えた冷凍装置ＲＴにおいて、圧力スイッチＳ１がカットイン（ＯＮ）及びカットアウト（ＯＦＦ）動作する設定値として、二段スクリュー圧縮機１０の容量制御を行うために複数設定された第１制御値Ｋ１、Ｋ２、Ｋ５と、二段スクリュー圧縮機１０の運転が容量制御されない単純なＯＮ−ＯＦＦ運転制御を行うための第２制御値Ｋ３、Ｋ４、Ｋ６、Ｋ７が複数設定されており、選択手段Ｓ２によって、第１制御値Ｋ１、Ｋ２、Ｋ５のうちのいずれかが選択された状態では、選択された第１制御値によって二段スクリュー圧縮機１０は容量制御モードで運転され、選択手段Ｓ２によって、第２制御値Ｋ３、Ｋ４、Ｋ６、Ｋ７ののうちのいずれかが選択された状態では、選択された第２制御値によって二段スクリュー圧縮機１０は容量制御されない単純なＯＮ−ＯＦＦ運転制御モードで運転される。
【００４５】
このため、選択手段Ｓ２によって、第１制御値の選択により二段スクリュー圧縮機１０は容量制御モードで運転され、第２制御値の選択により二段スクリュー圧縮機１０は容量制御されない単純なＯＮ−ＯＦＦ運転制御モードで運転されるため、運転管理者は、この選択手段Ｓ２によって、いずれのモードで運転するかの選択が容易となる。そして、第１制御値または第２制御値は、予め設定した値であるため、この選択手段によって、そのいずれかを選択するだけで、容量制御モードか、単純なＯＮ−ＯＦＦ運転制御モードかで運転されることとなり、操作も簡単になる。
【００４６】
また、第１制御値と第２制御値は、制御テーブルに複数設定されているため、選択手段Ｓ２によって、第１制御値のいずれかの選択により、二段スクリュー圧縮機１０は冷凍機の使用条件に合った適切な容量制御モードで運転される。また、第２制御値のいずれかの選択により、二段スクリュー圧縮機１０は単純なＯＮ−ＯＦＦ運転制御が、選択されたＯＮ−ＯＦＦ値により制御されるため、冷凍装置ＲＴの使用条件に合った適切なＯＮ−ＯＦＦ運転制御となる。
【００４７】
本発明において、選択手段Ｓ２は上記実施形態に拘束されず、他の構成であっても差し支えない。
【産業上の利用可能性】
【００４８】
本発明に係る冷凍装置は、上記実施例に示した構成に限定されず、種々の形態の冷凍装置または冷凍機器に適用できるものであり、本発明の技術範囲において種々の形態を包含するものである。
【符号の説明】
【００４９】
１０・・・・二段スクリュー圧縮機
１０ａ・・・低圧部
２０・・・・凝縮器
３８・・・・冷却器（エバポレータ）
５０・・・・アンロード用電磁弁
６０・・・・制御装置
６０Ａ・・・制御部
Ｆ１、Ｆ２、Ｆ３・・・・冷却ファン
ＬＣＤ・・・表示器
ＭＣ・・・・マイクロコンピュータ
ＭＲ・・・・メモリ
ＲＴ・・・・冷凍装置
Ｓ１・・・・低圧側圧力スイッチ
Ｓ１Ａ・・・低圧側圧力スイッチの第１スイッチ
Ｓ１Ｂ・・・低圧側圧力スイッチの第２スイッチ
Ｓ２・・・・選択手段としての選択スイッチ
Ｓ３・・・・高圧側圧力スイッチ
Ｓ４・・・・スタートスイッチ
ＳＤ・・・・ダウンスイッチ
ＳＵ・・・・アップスイッチ
ＳＴ・・・・選択スタートスイッチ
【図１】
0005736537.tif 000002
【図２】
0005736537.tif 000003
【図３】
0005736537.tif 000004
【図４】
0005736537.tif 000005
【図５】
0005736537.tif 000006